(57)【特許請求の範囲】
【請求項１】
ＤＡＢ受信機、現在位置検出装置、及び表示装置を備えたＤＡＢ受信システムであって、
ＤＡＢ受信機はアンサンブルの送信所を緯度と経度で表わした１点及び該緯度と経度で表わした１点に関連する該緯度と経度で表わした１点とそれぞれ距離の異なる複数のオフセットデータにより該緯度と経度で表わした１点が囲まれる領域を領域定義情報とし、該領域定義情報と該領域の周波数情報を入手する手段、及び前記現在位置検出装置で検出した現在位置と前記ＤＡＢ受信機で入手した領域定義情報から現在位置が含まれる領域のＩＤ記号を検索する手段を有し、検索されたＩＤ記号の領域に存在する周波数情報を前記表示装置に表示する、ＤＡＢ受信システム。
【請求項２】
ＤＡＢ受信機、地図データが格納された記憶装置、及び表示装置を備えたＤＡＢ受信システムであって、
ＤＡＢ受信機はアンサンブルの送信所を緯度と経度で表わした１点及び該緯度と経度で表わした１点に関連する該緯度と経度で表わした１点とそれぞれ距離の異なる複数のオフセットデータにより該緯度と経度で表わした１点が囲まれる領域を領域定義情報とし、該領域定義情報と該領域の周波数情報を入手する手段、及び前記記憶装置から所望の領域の地図を読み出して前記表示手段に表示させる手段、及び前記読み出された領域の情報と前記領域定義情報から前記読み出された領域内の前記領域定義情報で定義される領域のＩＤ記号を検索する手段を有し、検索されたＩＤ記号の領域に存在する周波数情報を前記表示装置に表示する、ＤＡＢ受信システム。
【請求項３】
各領域毎にその領域において提供される前記周波数情報を表示する、請求項１又は２に記載のＤＡＢ受信システム。
【請求項４】
現在選択中のサービスを強調させて表示する、請求項３に記載のＤＡＢ受信システム。
【請求項５】
現在位置を含む領域又はカーソルのある領域の情報又はカーソルをクリックした領域の情報を強調して表示する、請求項１又は２に記載のＤＡＢ受信システム。
【請求項６】
複数のサービスが一つの周波数に対応して放送されるデジタルオーディオ放送を受信可能なＤＡＢ受信機において、
ＤＡＢ受信機はアンサンブルの送信所を緯度と経度で表わした１点及び該緯度と経度で表わした１点に関連する該緯度と経度で表わした１点とそれぞれ距離の異なる複数のオフセットデータにより該緯度と経度で表わした１点が囲まれる領域を領域定義情報とし、該領域定義情報と該領域の周波数情報を入手する手段と、
前記領域定義情報から現在位置が含まれる領域に存在するアンサンブルを検索する手段と、
を備えたことを特徴とするＤＡＢ受信機。
【発明の詳細な説明】
【０００１】
【発明の属する技術分野】
本発明は、ＤＡＢ受信システムに関し、特にＤＡＢで提供される各種の情報を利用し、ユーザーがサービスをより利用し易くしたＤＡＢ受信システムに関する。
【０００２】
【従来の技術】
ＣＤ並の音質で、移動体でもマルチパスの影響を受けない安定な受信が可能な、ＤＡＢ(Digital Audio Broadcasting:ディジタルオーディオ放送) と名付けられたディジタル音声放送の方式がヨーロッパで開発された。このＤＡＢシステムは移動体用に開発されたディジタル音声放送システムで、移動体では避けられないマルチパス障害に強い変調方式としてＯＦＤＭ(Orthogonal Frequency Division Multiplexing:直交周波数分割多重) を採用している。この方式は直交する多数のキャリアに情報を分割し、周波数軸上で分散化するため、マルチパスで発生する周波数選択特性のフェージングの影響を受けにくい。
【０００３】
ＤＡＢ信号は、放送局でＯＦＤＭ変調される。この場合複数のサブチャンネルが使用されるが、複数のサブチャンネルをアンサンブルという。ＤＡＢ受信機は１つのアンサンブルの周波数を受信し、この１つのアンサンブルの周波数で音楽、データ等複数のサービスの中から少なくとも１つのサービスを受けることができる。また，他のアンサンブルの周波数を選択すれば、そのアンサンブルの複数のサービスの中から１つのサービスを受けることができる。
【０００４】
図１は、ＤＡＢの場合の受信チャンネルの設定を表したものである。横軸は周波数を表しており、アンサンブルＡとアンサンブルＢが示されている。アンサンブルＡの中心周波数は229.072 MHz で帯域幅は1.5MHzである。アンサンブルＡには複数のサービス、即ち、番組サービス１、番組サービス２、番組サービス３、──が含まれている。従って、ＤＡＢ受信機のユーザーは、まず、ある１つのアンサンブル、例えばアンサンブルＡの周波数でＤＡＢ信号を受信し、そのアンサンブル周波数に対応する複数のサービスの中から１つのサービスを受けることができる。このサービスが所望のサービスと異なれば、次のサービスを受けるというように、１つのアンサンブルの周波数で受けることのできるサービスの中から１つを選択し設定する。また、アンサンブルＡにおいて所望のサービスが見つからない場合は、アンサンブルＢの周波数を受信し、アンサンブルＢの周波数に対応する複数のサービスの中から所望のサービスを受けることができる。
【０００５】
ＤＡＢはディジタルデータを送信しており、これらのデータで音声放送、文字放送、画像放送、及びこれらの組み合わせの番組サービスを受信者に提供する。なお、ＤＡＢのアンサンブルは、例えば、５つのステレオ番組サービスと１つのデータサービスを提供できる容量を有しており、例えば、１つのアンサンブルにおいて５つのステレオ番組から音声放送を、そして、１つのデータサービスからニュース等を文字データで受信できる。なお、サービスの数は容量の範囲内であれば増減することができる。
【０００６】
図２はドイツにおけるＤＡＢのアンサンブルの例である。例１に示したアンサンブルでは、アンサンブル名が”DAB Dusseldorf" で、サービスは番組サービスの”Radio RSG"以下４つ含まれている。例２に示したアンサンブルでは、アンサンブル名が"NRW K12" であり、サービスは番組サービスの”EINSLIVE" 以下７つとデータサービスの"NACHERICHTEN"以下４つが含まれている。
【０００７】
【発明が解決しようとする課題】
ＤＡＢでは、ある領域を緯度と経度で定義した領域定義情報、トランスミッタグループで定義した領域定義情報、ある領域に存在するアンサンブルとアンサンブルが提供される周波数情報、サービス情報、トランスミッタの位置を緯度と経度で定義するＴＩＩデータベース情報等の各種情報が提供される。しかしながら、これらの情報を有効に利用する手段は十分に開発されていない。
【０００８】
従って、本発明の目的はこれらＤＡＢによって提供される各種情報を有効に利用するためのシステムを提供することである。
【０００９】
【課題を解決するための手段】
本発明ＤＡＢ受信システムは、ＤＡＢ受信機、現在位置検出装置、及び表示装置を備えており、ＤＡＢ受信機はアンサンブルの送信所を緯度と経度で表わした１点及び該緯度と経度で表わした１点に関連する該緯度と経度で表わした１点とそれぞれ距離の異なる複数のオフセットデータにより該緯度と経度で表わした１点が囲まれる領域を領域定義情報とし、該領域定義情報と該領域の周波数情報を入手し、現在位置検出装置で検出した現在位置と前記ＤＡＢ受信機で入手した領域定義情報から現在位置が含まれる領域のＩＤ記号を検索し、検索されたＩＤ記号の領域に存在する周波数情報を前記表示装置に表示し、表示された周波数情報から希望するサービスを選択できるようにしたものである。
【００１０】
また、本発明ＤＡＢ受信システムは、地図データが格納された記憶装置を備え、記憶装置から所望の領域の地図を読み出して前記表示手段に表示させ、読み出された領域の情報と前記領域定義情報から読み出された領域内の前記領域定義情報で定義される領域のＩＤ記号を検索し、検索されたＩＤ記号の領域に存在する周波数情報を前記表示装置に表示するものである。
また、本発明ＤＡＢ受信システムは、複数のサービスが一つの周波数に対応して放送されるデジタルオーディオ放送を受信可能なＤＡＢ受信機において  アンサンブルの送信所を緯度と経度で表わした１点及び該緯度と経度で表わした１点に関連する該緯度と経度で表わした１点とそれぞれ距離の異なる複数のオフセットデータにより該緯度と経度で表わした１点が囲まれる領域を領域定義情報とし、該領域定義情報と該領域の周波数情報を入手し、領域定義情報から現在位置が含まれる領域に存在するアンサンブルを検索するものである。
【００１１】
【発明の実施の形態】
図３は、ＤＡＢ伝送信号のフレーム構造を示したものであり、フレーム同期チャンネル、ＦＩＣ（Fast Information Channel）、ＭＳＣ（Main Service Channel）の各チャンネルからなる。フレーム同期チャンネルに続いてＦＩＣがあり、ここに多重化の配列（設定）、サービスの名称（ラベル）、ページング・コード、トラフィック・メッセージ制御などの情報が含まれている。ＦＩＣは複数のＦＩＢ（Fast Information Block）からなり、ＦＩＢは３０バイトのデータフィールドと誤り訂正用のＣＲＣ（Cyclic Redundancy Check ）からなる。また、ＦＩＢは複数のＦＩＧ（Fast Information Group）を有し、各ＦＩＧはＦＩＧのタイプ（ＭＣＩ、ＳＩ、ＦＩＤＣ）を識別する３ビットのＦＩＧタイプと５ビットのLengthからなるＦＩＧヘッダーと、ＦＩＧデータフィールドからなる。そして、このＦＩＧに後述する領域定義情報、周波数情報、トランスミッタ識別情報データベース等のデータが含まれている。ＭＳＣはオーディオやデータの伝送用であり、時間軸上に多重化された様々なデータブロックを含んでいる。また、これらのサービス・コンポーネントの数は可変となっている。そして、ＮＵＬＬシンボルを除く全てのシンボルには、先頭にガードインタバルが設けられており、マルチパスによる符号間干渉が起こらないようにしている。
【００１２】
図４はＤＡＢにより提供される各種情報を示した表である。図４において、ＦＩＧ（０／１１）にはRegion definition （領域定義情報データ）が含まれている。ＦＩＧ（０／１１）において（  ）内は（Type/Extension）を意味している。ＦＩＧ（０／１１）には、ある領域（Regionと記す）を緯度と経度で定義した領域定義情報と、同じくRegionをアンサンブルの送信所であるトランスミッタグループ（Main及びSub ）で定義した領域定義情報とが含まれている。ＦＩＧ（０／２１）にはFrequency information （周波数情報データ）が含まれている。ここにはRegionに存在するアンサンブル（E ）とアンサンブルが提供される複数の周波数（Frｅq)が含まれている。ＦＩＧ（０／２２）にはＴＩＩ database （トランスミッタ識別情報データベース）が含まれており、トランスミッタ（Main, Sub ）の位置を緯度と経度で定義した情報が含まれている。ＦＩＧ（０／２４）にはOE Service（他のアンサンブルのサービスデータ）が含まれており、あるサービス（S と記す）が提供される複数のアンサンブル（E ）の情報が含まれている。ＦＩＧ（１／０）にはEnsemble Label( アンサンブルラベルデータ) が含まれており、アンサンブルのＩＤ（E Id）で指定したあるアンサンブルのラベルを定義する情報が含まれている。ＦＩＧ（１／１）にはProgramme Service Label(番組サービスラベルデータ) が含まれており、サービスのＩＤ（S Id）で指定したある番組サービスのラベルを定義する情報が含まれている。ＦＩＧ（１／5 ）にはData Service Label( データサービスラベルデータ) が含まれており、サービスのＩＤ（S Id）で指定したあるデータサービスのラベルを定義する情報が含まれている。
【００１３】
図５は、ＤＡＢ受信装置において、ＤＡＢから情報を受信し選択する手順を示したものである。まず、▲１▼ＤＡＢの受信装置Ｒの操作部を操作して１つのアンサンブルを選択する。ユーザーがアンサンブルを選択すると、▲２▼ＣＰＵが選択したアンサンブルのＦＩＣを取得する。ＦＩＣを取得すると複数のサブチャンネル、即ち、サービス情報が表示されるので、▲３▼ユーザーはその中から１つのサブチャンネルを操作部を操作して選択する。すると、▲４▼ＣＰＵが選択されたサブチャンネルに切替える。以上の手順によりユーザーはアンサンブルの中の１つのサービスを受け、▲５▼所望の番組を受信することができる。また、最初に選択したアンサンブルに所望のサービスがなかった場合は、別のアンサンブルを選択して同じ動作を繰り返せばよい。
【００１４】
図６は、本発明のＤＡＢ受信システムの構成の概要を示した図である。図において１はＤＡＢ受信機のアンテナであり、２はＤＡＢ受信機である。ＤＡＢ受信機２には、マイコン２１と受信されたデータが記憶されるメモリ２２が設けられている。３は現在位置検出装置で、例えばＧＰＳ信号に基づいて自車の現在位置の緯度と経度を検出する。あるいは距離センサ及び方位センサからのデータに基づいて現在位置を検出する。４は表示装置である。
【００１５】
次に図６に示されたＤＡＢ受信システムの構成に基づいて本発明の動作を説明する。まず、ＤＡＢ受信機２から領域定義情報を入手する。一方、現在位置検出装置３により自車の現在位置の緯度と経度を検出する。領域定義情報は、図４のＦＩＧ（０／１１）に示されているようにＤＡＢから提供される。例えば、図７の点線の四角で示す領域は、対角線上にある２点ｘ、ｙの緯度と経度で定義され、定義された領域には、例えば「Region Id 1 」、「Region Id 2 」のように領域のＩＤ記号（Region Id ）が与えられている。従って、領域定義情報としては、その領域のＩＤ記号と、その領域の対角線上にある２点の緯度と経度であるｘ(00,00) 、ｙ(00,00) のデータが含まれる。ＤＡＢ受信機は常時領域定義情報を入手し、これら領域定義情報のデータはメモリ２２に格納される。
【００１６】
ＤＡＢ受信機のマイコン２１は、検出された現在位置の緯度、経度に基づいて、メモリ２２に格納されている領域定義情報データから現在位置が含まれる領域のＩＤ記号を検索する。例えば図７において、黒い三角で示す位置が現在位置であるとすると、現在位置が含まれる領域のＩＤ記号は「Region Id 2 」となる。領域のＩＤ記号が判明すると、マイコン２１は領域「Region Id 2 」に存在するアンサンブルのＩＤ記号(E Id)とアンサンブルの中心周波数（以下、アンサンブルを提供する周波数又は単に周波数と記す）のＩＤ記号(Freq)を含む周波数情報をメモリ２２から検索する。この周波数情報もＤＡＢ受信機２により常時受信され、メモリ２２に格納されている。なお、上記の場合、アンサンブルと周波数の関係を示す情報を周波数情報としているが、後述するように、アンサンブル−周波数−サービスの３者のいずれかの関係を示す情報をすべてここでは「周波数情報」とする。
【００１７】
検索されたアンサンブルのＩＤ記号(E Id)と図１に示すアンサンブルの周波数（229.072 MHz ）のＩＤ記号(Freq)は、例えば図８に示されているようなリスト形式で周波数情報として表示装置４に表示される。図８に示されているように、あるアンサンブルを提供する周波数は１つとは限らず、複数の場合もある。図８に示すリストではＩＤがE Id 1であるアンサンブルが提供される周波数は、Freq 1, Freq 2, Freq 3, --- と複数ある。ユーザは例えば、選択対象として周波数を指定し、ここに表示された周波数の中から希望するサービスを提供している周波数を選択し、このサービスを選択して設定し、このサービスを受信をすることができる。
【００１８】
なお、図７は現在位置を含む領域の地図を地図データベースから取り出して現在位置と共に表示してあるが、本発明では現在位置の領域のＩＤ記号を判別するために必ずしも図７のように地図を表示する必要はない。
図９は本発明ＤＡＢ受信システムをナビゲーション装置と組み合わせた場合の構成を示した図である。図において１はＤＡＢ受信機のアンテナであり、２はＤＡＢ受信機である。ＤＡＢ受信機２には、マイコン２１と受信されたデータが記憶されるメモリ２２が設けられている。一方、点線の枠で示したナビゲーション装置にはＣＰＵ５、現在位置検出装置３、及び表示装置４が設けられている。
【００１９】
図６と異なるのは、ＤＡＢ受信機２のマイコン２１がナビゲーション装置のＣＰＵ５と接続され、ナビゲーション装置の現在位置検出装置３及び表示装置４が、本発明のための現在位置検出装置及び表示装置としても用いられていることである。なお、ナビゲーション装置の構成としては図９に示した構成要素の他に道路地図等を格納した記憶装置等が含まれるが、この図では省略してある。
【００２０】
次に図９に示されたＤＡＢ受信システムの構成に基づいて本発明の動作を説明する。まずナビゲーション装置の現在位置検出装置３により自車の現在位置の緯度と経度を検出する。一方、ＤＡＢ受信機２から領域定義情報を入手し、メモリ２２に格納する。また、ＤＡＢ受信機のマイコン２１は、検出された現在位置の緯度、経度のデータをＣＰＵ５を介して入手する。そして、この現在位置のデータに基づいてメモリ２２に格納されている領域定義情報データから現在位置が含まれる領域のＩＤ記号を検索する。現在位置の領域のＩＤ記号が判明すると、マイコン２１は現在位置の領域に存在するアンサンブルのＩＤ記号とアンサンブルが提供される周波数のＩＤ記号をメモリ２２から検索する。検索されたアンサンブルのＩＤ記号と周波数のＩＤ記号はＣＰＵ５に送られ、ＣＰＵ５はマイコン２１から送られた信号に基づいてこれらのＩＤ記号を図８に示されているように表示装置４に表示する。以下、サービスを受信するための動作は図６の場合と同じである。
【００２１】
図１０は、本発明のＤＡＢ受信システムの別の実施形態の構成の概要を示した図である。図において１はＤＡＢ受信機のアンテナであり、２はＤＡＢ受信機である。ＤＡＢ受信機２には、マイコン２１と受信されたデータが記憶されるメモリ２２が設けられている。４は表示装置で、６は地図データが予め格納されたＣＤ−ＲＯＭ、ＩＣカード、ハードディスク等の記憶装置である。
【００２２】
次に図１０に示されたＤＡＢ受信システムの構成に基づいて動作を説明する。まず、ＤＡＢ受信機のマイコン２１は、ユーザーの指示により現在位置とは関係なく、所望の領域の地図を記憶装置６から読み出して表示装置４に表示する。一方、ＤＡＢ受信機２は領域定義情報を入手する。領域定義情報の内容は図４において先に説明した通りである。入手した領域定義情報のデータはメモリ２２に格納される。
【００２３】
ＤＡＢ受信機のマイコン２１は、前記所望の領域の地図を記憶装置６から読み出す指令をする際、読み出される地図の領域の緯度、経度をメモリ２２に記憶する。そして、読み出され表示装置４に表示された地図の緯度、経度に基づいて、メモリ２２に格納されている領域定義情報データから、表示された地図の領域を含む領域のＩＤ記号、あるいは表示された地図の領域に含まれる領域のＩＤ記号を検索する。図１１は表示された地図の領域と領域定義情報の領域のＩＤ記号との関係を示した図である。図１１（ａ）は、表示された地図の領域がＩＤ記号が「Region Id X 」の領域に含まれる場合を示しており、図１１（ｂ）は、表示された地図の領域にＩＤ記号が「Region Id A 」〜「Region Id J 」の領域が含まれる場合を示している。従って、（ａ）の場合、表示された地図の領域のＩＤ記号は「Region Id X 」であり、（ｂ）の場合、表示された地図の領域のＩＤ記号は「Region Id A 」〜「Region J」である。このように領域のＩＤ記号が判明すると、（ａ）の場合、マイコン２１は領域「Region Id X 」に存在するアンサンブルのＩＤ記号(E Id)とアンサンブルが提供される周波数のＩＤ記号(Freq)をメモリ２２から検索する。（ｂ）の場合、マイコン２１は領域「Region Id A 」〜「Region Id J 」の各々に存在するアンサンブルのＩＤ記号(E Id)とアンサンブルが提供される周波数のＩＤ記号(Freq)をメモリ２２から検索する。先に述べたようにこれらの情報はＤＡＢ受信機２により常時受信され、メモリ２２に格納されている。検索されたアンサンブルのＩＤ記号(E Id)と周波数のＩＤ記号(Freq)は、例えば図８に示されているようなリストの形で各領域に表示装置４に表示される。以下、サービスを受信するための動作は図６の場合と同じである。
【００２４】
図１２は図１０に示されたＤＡＢ受信システムをナビゲーション装置と組み合わせた場合の構成を示した図である。図において１はＤＡＢ受信機のアンテナであり、２はＤＡＢ受信機である。ＤＡＢ受信機２には、マイコン２１と受信されたデータが記憶されるメモリ２２が設けられている。一方、点線の枠で示したナビゲーション装置にはＣＰＵ５、記憶装置６、及び表示装置４が設けられている。
【００２５】
図１０と異なるのは、ＤＡＢ受信機２のマイコン２１がナビゲーション装置のＣＰＵ５と接続され、ナビゲーション装置の記憶装置６及び表示装置４が、本発明のための記憶装置及び表示装置としても用いられていることである。なお、ナビゲーション装置の構成としては図１２に示した構成要素の他に現在位置検出装置等が含まれるが、この図では省略してある。
【００２６】
次に図１２に示されたＤＡＢ受信システムの構成に基づいて動作を説明する。まず、ナビゲーション装置のＣＰＵ５は、ユーザーの指示により現在位置とは関係なく、任意の領域の地図を記憶装置６から読み出して表示装置４に表示する。一方、ＤＡＢ受信機２は領域定義情報を入手し、メモリ２２に格納する。
ＣＰＵ５は前記任意の領域の地図を記憶装置６から読み出す指令をする際、読み出される地図の領域の緯度、経度をマイコン２１を介してメモリ２２に記憶する。マイコン２１は、読み出され表示装置４に表示された地図の緯度、経度に基づいて、メモリ２２に格納されている領域定義情報データから、表示された地図の領域を含む領域のＩＤ記号、あるいは表示された地図の領域に含まれる領域のＩＤ記号を検索する。ＩＤ記号が判明すると、マイコン２１はそのＩＤ記号の領域に存在するアンサンブルのＩＤ記号(E Id)とアンサンブルが提供される周波数のＩＤ記号(Freq)をメモリ２２から検索する。検索されたアンサンブルのＩＤ記号(E Id)と周波数のＩＤ記号(Freq)は、図８に示されているように表示装置４に表示される。以下、サービスを受信するための動作は図６の場合と同じである。
【００２７】
上記図６、９、１０、１２に示した本発明ＤＡＢ受信システムの説明では、図４の領域定義情報データとして、ある領域を直接緯度と経度で定義した領域のＩＤ記号を用いたが、アンサンブルの送信所であるトランスミッタグループで定義した領域定義情報データを用いることもできる。この場合は、図４のＦＩＧ（０／１１）の内容の項の（２）に示されているように、領域ＩＤの「Region Id 」は主トランスミッタ「Main」と副トランスミッタ「Sub 」を含んでおり、これら「Main」と「Sub 」よりなるトランスミッタグループで領域が定義される。ＦＩＧ（０／２２）のＴＩＩdatabase（トランスミッタ識別情報データベース）に示されているように、主トランスミッタのＩＤである「Main Id 」はその緯度と経度のデータを有している。また、副トランスミッタのＩＤである「Sub Id」は「Main Id 」からの緯度と経度のオフセット分のデータを有している。従って、「Main Id 」と「Sub Id」よりなるトランスミッタグループで定義される領域「Region Id 1 」は図１３に示す領域となる。即ち、「Main Id 10」の緯度と経度を（ｘ，ｙ）とすると、「Sub Id 10 〜14」の「Main Id 10」からの緯度と経度のオフセットを「Main Id 10」の緯度、経度（ｘ，ｙ）にそれぞれ加えると、「Sub Id 10 〜14」は図１３に示す地点となり、これらの地点に囲まれた領域が「Region Id 1 」となる。この「Region Id 1 」に含まれる領域の緯度と経度と、現在位置あるいは表示装置に表示された地図の領域の緯度、経度から、現在位置や地図上の領域の領域ＩＤを検索することができ、さらに検索された領域ＩＤからそのＩＤ記号の領域に存在するアンサンブルのＩＤ記号(E Id)とアンサンブルが提供される周波数のＩＤ記号(Freq)をメモリ２２から検索することができる。そして検索されたアンサンブルのＩＤ記号(E Id)と周波数のＩＤ記号(Freq)は、図８に示されているように表示装置４に表示される。ユーザはここに表示された周波数の中から希望するサービスを提供している周波数を選択し、このサービスを選択して設定し、受信をすることができる。なお、先に述べたように上記トランスミッタグループで定義される領域定義情報データ、及びトランスミッタ識別情報データベースに含まれるこれらの緯度、経度の情報はＤＡＢ受信機２により常時受信され、メモリ２２に格納されている。
【００２８】
次に、現在位置検出装置等の位置検出手段を使用しない場合に、現在位置の領域ＩＤ記号を判別するための実施形態について説明する。図３に示すＤＡＢ伝送信号のフレームの同期チャンネルのＮＵＬＬシンボルには、現在受信しているＤＡＢのトランスミッタ識別情報データ（ＴＩＩ）が含まれている。例えば、現在受信しているＤＡＢがトランスミッタ「Main Id 10」と「Sub Id 10 」から送信されているとすると、「Main Id 10」と「Sub Id 10 」のデータがＮＵＬＬシンボルに含まれている。これらトランスミッタの位置は現在位置からそれほど離れていないため、これらの緯度、経度から自車のおおよその現在位置がわかる。一方、ＤＡＢ受信機２は前記四角形で示す領域定義情報を受信してメモリ２２に蓄積している。
【００２９】
そこで、ＤＡＢ受信機のマイコン２１は、受信しているトランスミッタの緯度、経度に基づいて、メモリ２２に格納されている前記四角形で示す領域定義情報データから上記緯度、経度が含まれる領域とそれに隣接する領域のＩＤ記号を検索する。領域のＩＤ記号が判明すれば、図８に示すようにその領域に存在するアンサンブルのＩＤ記号と周波数のＩＤ記号を入手でき、その中から周波数を選択することができる。
【００３０】
次に各情報の表示、及び周波数等の選択について説明する。
上記実施形態では、図４のＦＩＧ（０／２１）から入手したアンサンブル情報は図８に示すように「E Id 1」、「E Id 2」のように識別記号で表示されている。しかし、ＦＩＧ（１／０）からEnsemble Label（アンサンブルラベルデータ）を入手し、図１４に示すようにアンサンブルを識別記号ではなく文字（例えば、ＤＵＳＳＥＬＤＯＲＦ等）で表したラベルで表示することもできる。
【００３１】
また、上記実施形態では、選択対象として周波数を指定し、表示された周波数の中から希望するサービスを提供する周波数を選択しているが、選択対象としてアンサンブルを指定し、あるアンサンブルを選択し、そのアンサンブルが提供される複数の周波数を順次受信し、信号レベルが最大となる周波数を選定することもできる。あるいは前記複数の周波数のうち、最初に受信可能な周波数、例えばある一定レベル以上で受信できる周波数を発見したとき、その周波数を選択し設定することもできる。上記制御はマイコン２１により行う。
【００３２】
また、上記実施形態では、図８に示されているように、周波数情報は「Freq 1」、「Freq 2」のように識別記号で表示されている。しかし、ＦＩＧ（１／１）、ＦＩＧ（１／５）、ＦＩＧ（０／２４）からProgramme Service Label （番組サービスラベルデータ）、Data Service Label（データサービスラベルデータ）、OE Service（他のアンサンブルのサービスデータ）を入手し、図１５に示すように文字で表したラベルで表示したアンサンブル（ラベル表示）−サービス情報（ラベル表示）リストを周波数情報として表示し、選択対象としてアンサンブルを指定し、希望するサービスを提供するアンサンブルを選択し、そのアンサンブルが提供される周波数とサービスを選択し設定することもできる。
【００３３】
また、上記ＦＩＧ（１／１）、ＦＩＧ（１／５）、ＦＩＧ（１／２４）の３つのデータを用いて、図１６に示すようにサービス情報（ラベル表示）−アンサンブル（ラベル表示）リスト、即ち、あるサービスを提供するアンサンブルのリストを周波数情報として表示し、選択対象としてサービスを指定し、希望するサービスを選択し、このサービスを提供する複数のアンサンブルが提供される複数の周波数の中からある周波数を選択し、希望するサービスを設定することもできる。
【００３４】
図１５、１６で示した実施形態では、アンサンブル又はサービスを選択してそのアンサンブルが提供される周波数又はそのサービスを提供するアンサンブルが提供される周波数を順次受信し、信号レベルが最大となる周波数を選定するようにすることもできる。また、受信レベルやマルチパスの等により受信状態が影響されるが、受信状態の良い周波数を受信するように設定することもできる。
【００３５】
図１１に示す表示した地図上に自車の現在位置を表示した場合、図１７に示すようにＩＤ記号で区分される各領域毎にそこで提供されるアンサンブルやサービス等の情報を表示することもできる。
その際、例えば図１６に示すリストが表示された場合、現在選択されているサービスの色を他のもの異ならせて識別できるようにすることもできる。
【００３６】
また、図１７に示すように、現在位置を含む領域「Region Id A 」を太線等で枠取りし、現在位置を含む領域がすぐに判別できるようにすることもできる。
あるいは、図１７に示すように、現在位置が含まれる領域「Region Id A 」に表示されたリスト等の情報の色を他の情報と異ならせて識別できるようにすることもできる。
【００３７】
また、カーソルを設け、図１８に示すようにカーソルのある領域「Region A」の情報のみを表示し、その他の領域の情報を消去あるいは薄く表示することもできる。
さらに、カーソルをクリックした領域に関する情報のみを表示し、その他の領域を消去あるいは薄く表示することもできる。
【００３８】
図１９と２０は、表示装置にアンサンブルのＩＤ記号等のリストを表示する場合のフローチャートを示した図である。フローチャートで示した動作の制御は図６等に示されているマイコン２１により行われる。
図１９と２０において、まずＤＡＢ受信機２により図４に示した情報の収集が行われメモリ２２に格納される（Ｓ１）。情報の収集が完了すると（Ｓ２）、現在位置又は表示された地図の位置を検出する（Ｓ３）。そして、ＤＡＢから収集した領域定義情報と現在位置又は表示された地図の位置のデータから、これらの位置が含まれる領域のＩＤを検索する（Ｓ４）。次に、ユーザは表示するリストのタイプを選択する（Ｓ５）と、収集された情報に基づいて、マイコン２１は検索されたＩＤの領域の情報をメモリ２２から取り出し、選択されたタイプのリストを作成して表示する（Ｓ６）。選択されたリストが表示されると、ユーザはそのリストから選択対象を指定する（Ｓ７）。例えば図８に示すリストが表示された場合、アンサンブル識別記号（E Id）か周波数識別記号（Freq）を選択対象とすることができる。また、図１６に示すリストが表示された場合、サービスの識別記号（S Id）かアンサンブル識別記号（E Id）を選択対象とすることができる。
【００３９】
Ｓ７で選択対象として周波数を指定した場合（Ｙｅｓ）、ユーザは受信周波数を選択し設定する（Ｓ９）。Ｓ８でＮｏの場合、アンサンブルかサービスが選択対象として指定されていることになる。Ｓ８でＮｏの場合であって、アンサンブルが選択対象として指定されている場合、「最大信号レベルサーチモード」とされているか判断する（Ｓ10）。Ｙｅｓであれば、ユーザがあるアンサンブルを選択すると、そのアンサンブルが提供される複数の周波数を順次受信してサーチし最大信号レベルである周波数を選択し設定する（Ｓ11）。
【００４０】
サービスが選択対象として指定されている場合、「最大信号レベルサーチモード」とされているか判断する（Ｓ８）。Ｙｅｓであれば、ユーザがあるサービスを選択すると、そのサービスを提供するアンサンブルが提供される複数の周波数を順次受信してサーチし、最大信号レベルである周波数を選択し設定する（Ｓ11）。
【００４１】
Ｓ10で「最大信号レベルサーチモード」とされていない場合（Ｎｏ）、選択対象としてアンサンブル（E ）が指定されているかどうか判断される（Ｓ12）。Ｙｅｓであれば、ユーザがあるアンサンブルを選択すると、選択されたアンサンブルを提供する周波数の中で初めに受信可能となる周波数をサーチして設定する（Ｓ13）。Ｓ12でＮｏであれば、選択対象としてサービスが指定されているため、ユーザがあるサービス選択すると、そのサービスを提供するアンサンブルが提供される複数の周波数の中から良好に受信可能な周波数をサーチして選択する（Ｓ14）。そして、選択されたサービスを設定し（Ｓ17）、このサービスをＤＡＢから受信する。
【００４２】
Ｓ９、Ｓ11、Ｓ13の次に、希望するサービスが選択されているかどうか判断される（Ｓ15）。これらの内、希望するサービスが選択されているのは、Ｓ11においてサービスが選択されている場合であり、この場合（Ｙｅｓ）は選択されたサービスが設定され（Ｓ17）、このサービスをＤＡＢから受信する。Ｓ９とＳ13１の場合はサービスは選択されていないため（Ｎｏ）、現在受信しているアンサンブルが提供する任意のサービスを選択されたサービスとし（Ｓ16）、選択されたサービスを設定してこのサービスをＤＡＢから受信する。
【００４３】
【発明の効果】
本発明によれば、領域定義情報と現在位置から、現在位置が含まれる領域で提供されるＤＡＢのサービスの内容が入手でき表示されるので、容易に希望のサービスを受信することができる。また、現在位置でなくとも任意の場所の地図を表示し、その領域で提供されるＤＡＢのサービスの内容が入手でき表示されるので、例えばこれから行く先の場所でどの様なサービスが受信できるか予め知ることができる。
【００４４】
また、本発明によれば現在位置検出手段がなくとも、ＤＡＢから受信できる情報によりおおよその現在位置を検出することができる。さらに、本発明システムはナビゲーション装置に組み込み、これと併せて利用することができる。
【図面の簡単な説明】
【図１】ＤＡＢの受信チャンネルの設定を表した図である。
【図２】ドイツにおけるＤＡＢのアンサンブルの例である。
【図３】ＤＡＢ伝送信号のフレーム構造を示した図である。
【図４】ＤＡＢにより提供される各種情報を示した表である。
【図５】ＤＡＢ受信機において、ＤＡＢから情報を受信し選択する手順を示した図である。
【図６】本発明ＤＡＢ受信システムの構成の概要を示した図である。
【図７】検出された現在位置及び領域定義情報データから、現在位置が含まれる領域のＩＤ記号をどのように検索するか説明するための図である。
【図８】表示されるアンサンブルと周波数のＩＤ記号のリストを示した図である。
【図９】本発明ＤＡＢ受信システムをナビゲーション装置と組み合わせた場合のの構成のを示した図である。
【図１０】本発明ＤＡＢ受信システムの別の実施形態の構成の概要を示した図である。
【図１１】表示された地図の領域、と領域定義情報の領域のＩＤとの関係を示した図である。
【図１２】図10に示された本発明ＤＡＢ受信システムをナビゲーション装置と組み合わせた場合のの構成のを示した図である。
【図１３】トランスミッタグループで定義される領域を示す図である。
【図１４】アンサンブルをラベルで示した場合のリストを示す図である。
【図１５】アンサンブル及びサービスをラベルで示した場合のリストを示す図である。
【図１６】サービス−アンサンブルリストを、ラベルで示した場合のリストを示す図である。
【図１７】領域ＩＤ毎にその領域に存在する情報のリストを表示した図である。
【図１８】図17において、特定の領域の情報のみ識別して表示した場合の図である。
【図１９】その領域に存在する情報のリストを表示する動作を示したフローチャートである。
【図２０】その領域に存在する情報のリストを表示する動作を示したフローチャートである。
【符号の説明】
１…アンテナ
２…ＤＡＢ受信機
２１…マイコン
２２…メモリ
３…現在位置検出装置
４…表示装置
５…ＣＰＵ
６…記憶装置
【図１】
0003979731.tif 000002
【図２】
0003979731.tif 000003
【図３】
0003979731.tif 000004
【図４】
0003979731.tif 000005
【図５】
0003979731.tif 000006
【図６】
0003979731.tif 000007
【図７】
0003979731.tif 000008
【図８】
0003979731.tif 000009
【図９】
0003979731.tif 000010
【図１０】
0003979731.tif 000011
【図１１】
0003979731.tif 000012
【図１２】
0003979731.tif 000013
【図１３】
0003979731.tif 000014
【図１４】
0003979731.tif 000015
【図１５】
0003979731.tif 000016
【図１６】
0003979731.tif 000017
【図１７】
0003979731.tif 000018
【図１８】
0003979731.tif 000019
【図１９】
0003979731.tif 000020
【図２０】
0003979731.tif 000021